(57)【要約】【課題】永久磁石埋め込み型の回転子を備えた内転型の電動機において、回転子の回転時にブリッジに発生する応力を低減する。【解決手段】回転子鉄心１に形成された複数の永久磁石収納孔２に複数の永久磁石３がそれぞれ収納され保持されている。複数の永久磁石収納孔と回転子鉄心の外周面との間の複数の外周部１ａに形成された複数のリベット孔５に複数のリベット６がそれぞれ挿入されている。回転子が回転したとき、リベットの外周面とリベット孔の内周面とは、回転軸に対して垂直な面に沿った断面において二点又は線で接触する。これにより、回転子の回転時にリベットに作用する力が分散されるので、リベットの変形量が小さくなる。その結果、遠心力による外周部の変位量も小さくなり、ブリッジに発生する応力が低減される。【選択図】図１
2010213553.tif 000002
【特許請求の範囲】
【請求項１】
永久磁石埋め込み型の回転子を備えた内転型の電動機であって、
前記回転子は、複数の鋼板が積層されてなる回転子鉄心と、前記回転子鉄心に埋め込まれた複数の永久磁石と、前記複数の鋼板を回転軸方向に貫通して前記複数の鋼板を一体化する複数のリベットとを備え、
前記複数の永久磁石は、前記回転子鉄心に形成された複数の永久磁石収納孔にそれぞれ収納され保持されており、
前記複数のリベットは、前記複数の永久磁石収納孔と前記回転子鉄心の外周面との間の複数の外周部に形成された複数のリベット孔にそれぞれ挿入されており、
前記回転子が回転したとき、前記リベットの外周面と前記リベット孔の内周面とは、回転軸に対して垂直な面に沿った断面において二点又は線で接触することを特徴とする電動機。
【請求項２】
前記リベットの前記断面における断面形状は、半径Ｒの略円形であり、
前記リベット孔の前記断面における断面形状は、回転軸中心を通る直線に沿った長軸を有し、長半径がａ、短半径がｂの略楕円形であり、
Ｒ＜ｂ＜ａを満足する請求項１に記載の電動機。
【請求項３】
前記リベットの前記断面における断面形状は略円形であり、
前記リベット孔の前記断面における断面形状は、２本以上の線分と曲線とを含み、
前記２本以上の線分は、回転軸中心側に、且つ、回転軸中心を通る直線に対して対称に配されている請求項１に記載の電動機。
【請求項４】
前記リベット及び前記リベット孔の前記断面における断面形状は、いずれも、回転軸中心側に、回転軸中心を通る直線に垂直な線分を有する請求項１に記載の電動機。
【請求項５】
前記回転軸中心を通る直線が、前記永久磁石の磁極中心を通る請求項２〜４のいずれかに記載の電動機。
【請求項６】
前記複数の外周部のそれぞれに前記リベット孔が２以上形成されている請求項１〜４のいずれかに記載の電動機。
【請求項７】
前記複数の永久磁石収納孔のそれぞれは、回転軸中心と前記永久磁石の磁極中心とを通る直線に沿った架橋部により２つに分割されており、２つに分割された永久磁石収納孔のそれぞれに永久磁石が収納され保持されている請求項１〜６のいずれかに記載の電動機。
【請求項８】
請求項１〜７のいずれかに記載の電動機を備えた電気機器。
【発明の詳細な説明】
【技術分野】
【０００１】
本発明は、電動機に関する。また、本発明は電動機を備えた電気機器に関する。
【背景技術】
【０００２】
内転型電動機に用いられる永久磁石埋め込み型の回転子が特許文献１に記載されている。図９は、特許文献１に記載された回転子の、回転軸に対して垂直な面に沿った断面図である。
【０００３】
この回転子は、板状の電磁鋼板を複数枚積層して構成された回転子鉄心１０１を備える。回転子鉄心１０１には、永久磁石１０３がそれぞれ収納され保持される複数の永久磁石収納孔１０２と、リベット１０６がそれぞれ挿入される複数のリベット孔１０５とが形成されている。回転子鉄心１０１のうち、永久磁石収納孔１０２と回転子鉄心１０１の外周面との間の部分（永久磁石収納孔１０２よりも回転軸中心とは反対側の部分）を外周部１０１ａ、永久磁石収納孔１０２よりも回転軸中心側の部分を内周部１０１ｂと呼ぶ。永久磁石収納孔１０２の端には、回転子鉄心１０１の外周部１０１ａと内周部１０１ｂとを接続するブリッジ１０４が形成されている。
【０００４】
リベット孔１０５の中心は、回転子鉄心１０１の外周部１０１ａ内であって、回転軸中心と永久磁石１０３の磁極中心とを通る直線上に位置している。リベット孔１０５及びリベット１０６の、回転軸に対して垂直な面に沿った断面における断面形状はいずれも円形である。リベット１０６は、回転子鉄心１０１を構成する複数の電磁鋼板を回転軸方向に貫通してこれらを一体化している。
【特許文献１】特開２００７−１５９１９６号公報
【発明の開示】
【発明が解決しようとする課題】
【０００５】
回転子が回転すると、回転子鉄心１０１の外周部１０１ａに遠心力が発生する。遠心力によって半径方向外向きに変位しようとする外周部１０１ａは、リベット１０６の外周面とリベット孔１０５の内周面とが当接することによりリベット１０６によって支持される。
【０００６】
ここで、リベット孔１０５及びリベット１０６の断面形状はいずれも円形であるので、リベット孔１０５の内周面とリベット１０６の外周面とは一点で接触する。従って、リベット１０６は外周部１０１ａを一点で支持し、リベット１０６が外周部１０１ａから受ける力はリベット１０６のリベット孔１０５との接触点に集中する。リベット１０６は、このような局所的な力を受けることにより変形しやすくなり、外周部１０１ａを十分に支持できなくなる。その結果、遠心力によって外周部１０１ａが半径方向外向きに大きく変位し、肉厚が薄く、機械的強度が低いブリッジ１０４に大きな応力が発生し、最悪の場合には、ブリッジ１０４が破損して外周部１０１ａが飛散するという問題がある。この問題は、回転子が高速回転（例えば１００００ｒｐｍ以上）する場合に特に顕著になる。
【０００７】
本発明は、上記の従来の問題を解決し、回転子の回転時にブリッジに発生する応力が低減された電動機を提供することを目的とする。また、本発明は、このような電動機を備えた電気機器を提供することを目的とする。
【課題を解決するための手段】
【０００８】
本発明の電動機は、永久磁石埋め込み型の回転子を備えた内転型の電動機であって、前記回転子は、複数の鋼板が積層されてなる回転子鉄心と、前記回転子鉄心に埋め込まれた複数の永久磁石と、前記複数の鋼板を回転軸方向に貫通して前記複数の鋼板を一体化する複数のリベットとを備える。前記複数の永久磁石は、前記回転子鉄心に形成された複数の永久磁石収納孔にそれぞれ収納され保持されている。前記複数のリベットは、前記複数の永久磁石収納孔と前記回転子鉄心の外周面との間の複数の外周部に形成された複数のリベット孔にそれぞれ挿入されている。前記回転子が回転したとき、前記リベットの外周面と前記リベット孔の内周面とは、回転軸に対して垂直な面に沿った断面において二点又は線で接触する。
【０００９】
本発明の電気機器は、上記の本発明の電動機を備える。
【発明の効果】
【００１０】
本発明によれば、回転子の回転時にリベットに作用する力が分散されるので、リベットの変形量が小さくなり、遠心力による外周部の変位量も小さくなる。その結果、ブリッジに発生する応力が低減されるので、ブリッジが破損して外周部が飛散するという問題を防止することができる。
【００１１】
また、ブリッジを薄くすることが可能になるので、モータ特性を向上することができる。
【発明を実施するための最良の形態】
【００１２】
上記の本発明の電動機において、前記リベットの前記断面における断面形状は、半径Ｒの略円形であり、前記リベット孔の前記断面における断面形状は、回転軸中心を通る直線に沿った長軸を有し、長半径がａ、短半径がｂの略楕円形であり、Ｒ＜ｂ＜ａを満足してもよい。これにより、回転子の回転時に、回転軸に対して垂直な面に沿った断面において、リベットの外周面とリベット孔の内周面とを二点で接触させることができる。従って、簡単な構成で、リベットに作用する力を分散させることができる。
【００１３】
あるいは、前記リベットの前記断面における断面形状は略円形であり、前記リベット孔の前記断面における断面形状は、２本以上の線分と曲線とを含み、前記２本以上の線分は、回転軸中心側に、且つ、回転軸中心を通る直線に対して対称に配されていてもよい。このような構成でも、回転子の回転時に、回転軸に対して垂直な面に沿った断面において、リベットの外周面とリベット孔の内周面とを二点で接触させることができる。従って、簡単な構成で、リベットに作用する力を分散させることができる。
【００１４】
あるいは、前記リベット及び前記リベット孔の前記断面における断面形状は、いずれも、回転軸中心側に、回転軸中心を通る直線に垂直な線分を有していてもよい。これにより、回転子の回転時に、回転軸に対して垂直な面に沿った断面において、リベットの外周面とリベット孔の内周面とを線接触させることができ、両者の接触面積を拡大させることができる。従って、簡単な構成で、リベットに作用する力を分散させることができる。
【００１５】
上記において、前記回転軸中心を通る直線が、前記永久磁石の磁極中心を通ることが好ましい。これにより、回転子鉄心の各外周部をこれに対応するリベットでバランス良く支持することができる。
【００１６】
前記複数の外周部のそれぞれに前記リベット孔が２以上形成されていてもよい。これにより、各リベットに作用する力が小さくなるので、リベットの変形量を更に小さくすることができる。
【００１７】
前記複数の永久磁石収納孔のそれぞれは、回転軸中心と前記永久磁石の磁極中心とを通る直線に沿った架橋部により２つに分割されており、２つに分割された永久磁石収納孔のそれぞれに永久磁石が収納され保持されていてもよい。これにより、各外周部は、一対のブリッジと架橋部の合計３箇所で保持されることになるので、回転子の回転時の遠心力による外周部の変位量を更に小さくすることができる。
【００１８】
以下、本発明の好適な実施の形態を図面を参照しながら説明する。以下に示す図は、各実施の形態を理解しやすいように概念的に記載されており、各部の縮尺は実際のものと一致していない。
【００１９】
（実施の形態１）
図１Ａは、本発明の実施の形態１に係る回転子の、回転軸に対して垂直な面に沿った断面図、図１Ｂは、図１Ａの部分１Ｂの拡大断面図である。図２は、図１のII−II線を含み且つ回転軸に平行な面に沿った本実施の形態１に係る回転子の断面図である。II−II線は回転子の回転軸中心Ｐと永久磁石３の磁極中心とを通る直線Ｌに沿っている。
【００２０】
図１Ａ及び図１Ｂに示すように、この回転子は、複数の高透磁率薄鋼板が積層されてなる回転子鉄心１と、回転子鉄心１に埋め込まれた複数の永久磁石３と、複数の高透磁率薄鋼板を貫通する複数のリベット６とを備える。複数の永久磁石３は、回転軸中心Ｐに対して等角度間隔で回転子鉄心１に形成された複数の永久磁石収納孔２にそれぞれ収納され保持されている。複数のリベット６は、回転軸中心Ｐに対して等角度間隔で回転子鉄心１に形成された複数のリベット孔５にそれぞれ挿入されている。
【００２１】
回転軸に対して垂直な面に沿った断面において、永久磁石収納孔２の断面形状は、回転軸中心Ｐ側に凸である略円弧である。永久磁石収納孔２の略円弧の曲率中心は、回転軸中心Ｐと永久磁石３の磁極中心とを通る直線Ｌ上に、且つ、永久磁石収納孔２よりも回転子鉄心１の外周面側に位置している。同様に、永久磁石３の断面形状は、回転軸中心Ｐ側に凸である略円弧である。永久磁石３の略円弧の曲率中心は、回転軸中心Ｐと永久磁石３の磁極中心とを通る直線Ｌ上に、且つ、永久磁石３よりも回転子鉄心１の外周面側に位置している。永久磁石収納孔２及び永久磁石３は、回転軸中心Ｐと永久磁石３の磁極中心とを通る直線Ｌに対して対称である。
【００２２】
回転子鉄心１のうち、永久磁石収納孔２と回転子鉄心１の外周面との間の部分（永久磁石収納孔２よりも回転軸中心Ｐとは反対側の部分）を外周部１ａ、永久磁石収納孔２よりも回転軸中心Ｐ側の部分を内周部１ｂと呼ぶ。永久磁石収納孔２の端部と回転子鉄心１の外周面との間に、外周部１ａと内周部１ｂとを接続するブリッジ４が形成されている。リベット孔５は外周部１ａ内に形成されている。
【００２３】
図２に示すように、回転子鉄心１の両端面に一対の端板８が積層されている。一対の端板８と回転子鉄心１を構成する複数の高透磁率薄鋼板とにリベット６を貫通させた後、リベット６の先端をかしめることで、一対の端板８と複数の高透磁率薄鋼板とを一体化している。リベット６の半径方向の位置は、一対の端板８によって規制されている。
【００２４】
図１Ｂに示すように、回転軸に対して垂直な面に沿った断面において、リベット６の断面形状は略円形であり、リベット孔５の断面形状は略楕円形である。リベット孔５の略楕円形の長軸は、回転軸中心Ｐと永久磁石３の磁極中心とを通る直線Ｌと一致する。リベット６の半径をＲ、リベット孔５の直線Ｌに沿った長半径をａ、リベット孔５の直線Ｌと直交する方向に沿った短半径をｂとすると、Ｒ＜ｂ＜ａの関係が成立する。
【００２５】
回転子が回転すると、外周部１ａに遠心力が発生する。遠心力によって半径方向外向きに変位しようとする外周部１ａは、リベット６の外周面とリベット孔５の内周面とが当接することにより、リベット６によって支持される。上述したように、回転軸に対して垂直な面に沿った断面において、リベット６の断面形状は略円形であり、リベット孔５の断面形状は略楕円形であり、両者の曲率が異なるので、リベット６の外周面とリベット孔５の内周面とは二点で接触する。従って、リベット６は外周部１ａを二点で支持し、リベット６が外周部１ａから受ける力はリベット６のリベット孔５との２つの接触点に分散される。外周部１ａからの力がリベット６に一点に集中して作用する場合に比べると、二点に分散して作用する本実施の形態１ではリベット６の変形量は小さくなる。従って、遠心力による外周部１ａの変位量も小さくなる。その結果、ブリッジ４に発生する応力は小さくなるので、ブリッジ４が破損して外周部１ａが飛散するのを防止することができる。
【００２６】
ブリッジ４に発生する最大応力を、リベット孔５の断面形状が略楕円形である場合と円形である場合とで比較するために、回転子の構造解析を行った。その結果を説明する。解析モデルは図１Ａ、図１Ｂ、図２に示した構造を有する回転子とし、リベット孔５の断面形状が円形であるモデル（従来例）と略楕円形であるモデル（本発明）との２通りとした。解析条件は、回転子の回転数を１８０００ｒｐｍとし、外周部１ａは遠心力により半径方向にのみ変位可能とした。結果を図３に示す。リベット孔５の断面形状が円形である場合（従来例）に比べて略楕円状である場合（本発明）は、ブリッジ４に発生する最大応力は最大５％低減することを確認した。リベット孔５の断面形状が略楕円状である場合において、ブリッジ４での最大応力が、リベット孔５の断面形状が円形である場合と同一になるように永久磁石収納孔２の弧長を延ばすと、ブリッジ４の幅を１０％縮小することができることを確認した。
【００２７】
次に、ブリッジ４の幅を縮小することによる効果を確認するために磁界解析を行った。その結果を説明する。解析モデルは図１Ａ、図１Ｂ、図２に示した構造を有する回転子とし、リベット孔５の断面形状が円形であるモデル（従来例）と、リベット孔５の断面形状が略楕円形でブリッジ４の幅を従来例のモデルより１０％縮小したモデル（本発明）の２通りとした。また、解析には２次元有限要素法を使用し、同一の電流条件で駆動する電動機においてトルクとトルクリプルと誘起電圧を比較した。結果を図４Ａ及び図４Ｂに示す。リベット孔５の断面形状が円形である場合（従来例）に比べて、リベット孔５の断面形状が略楕円形で且つブリッジ４の幅を１０％縮小した場合（本発明）は、トルクが３％増加し、誘起電圧が５％増加し、トルクリプルが２％低減することを確認した。
【００２８】
上記の例では、リベット孔５の断面形状が略楕円形であったが、本発明はこれに限定されず、リベット６が外周部１ａから受ける力がリベット６に分散して作用するように構成されていればよい。
【００２９】
例えば、図５Ａ及び図５Ｂに示すように、リベット孔１５の断面形状が、回転軸中心Ｐ側にＶ字形状を有し、回転軸中心Ｐとは反対側に円弧を有する形状であってもよい。このリベット孔１５の上記Ｖ字形状は、回転軸中心Ｐと永久磁石３の磁極中心とを通る直線Ｌに対して対称である。リベット６の断面形状は、図１Ａ及び図１Ｂの場合と同様に略円形である。この場合も、回転子が回転して外周部１ａに遠心力が発生すると、リベット６の外周面とリベット孔１５の内周面とは二点で接触するので、リベット６が外周部１ａから受ける力は２点に分散される。従って、リベット６の変形量が小さくなり、外周部１ａの変位量も小さくなる。その結果、ブリッジ４に発生する応力は小さくなるので、ブリッジ４が破損して外周部１ａが飛散するのを防止することができる。
【００３０】
なお、図５Ａ及び図５Ｂでは、リベット孔１５の断面形状は回転軸中心Ｐ側に２本の線分からなるＶ字形状を有していたが、リベット孔１５の断面形状は回転軸中心Ｐ側に３本以上の線分を組み合わせた形状を有していてもよい。また、回転軸中心Ｐとは反対側に、円弧ではなく、任意の曲線を有していても良い。これらの場合も、回転子が回転して外周部１ａに遠心力が発生したときに、リベット６の外周面とリベット孔１５の内周面とが２点で接触するように構成することにより、図５Ａ及び図５Ｂの場合と同様の効果が得られる。
【００３１】
あるいは、図６Ａ及び図６Ｂに示すように、リベット孔２５及びリベット２６の断面形状が、いずれも回転軸中心Ｐ側に、回転軸中心Ｐと永久磁石３の磁極中心とを通る直線Ｌに対して垂直な線分を有し、回転軸中心Ｐとは反対側に円弧を有する形状であってもよい。この場合、回転子が回転して外周部１ａに遠心力が発生すると、リベット２６の外周面とリベット孔２５の内周面とは、それぞれの線分で線接触するので、複数の点で接触する場合に比べて、接触面積が拡大し、リベット２６が外周部１ａから受ける力はより広範囲に分散される。従って、リベット２６の変形量が小さくなり、外周部１ａの変位量も小さくなる。その結果、ブリッジ４に発生する応力は小さくなるので、ブリッジ４が破損して外周部１ａが飛散するのを防止することができる。
【００３２】
なお、図６Ａ及び図６Ｂでは、リベット孔２５及び／又はリベット２６の断面形状は回転軸中心Ｐとは反対側に円弧を有していたが、円弧ではなく、任意の曲線を有していても良い。
【００３３】
本実施の形態１では、回転子が回転して外周部１ａに遠心力が発生したときに、回転軸に対して垂直な面に沿った断面において、リベットの外周面とリベット孔の内周面とが二点又は線で接触すればよい。上述したリベット及びリベット孔の断面形状はこれを実現するための例示に過ぎず、本発明はこれらに限定されず、種々に変更することができる。
【００３４】
（実施の形態２）
図７Ａは、本発明の実施の形態２に係る回転子の、回転軸に対して垂直な面に沿った断面図、図７Ｂは、図７Ａの部分７Ｂの拡大断面図である。
【００３５】
本実施の形態２は、各外周部１ａに２つのリベット孔３５及び２つのリベット３６が配されている点で、各外周部１ａに１つのリベット孔及び１つのリベットが配されていた実施の形態１と異なる。これ以外の回転子の構成（例えば回転子鉄心１、永久磁石収納孔２、永久磁石３、ブリッジ４）は実施の形態１と同じである。
【００３６】
回転軸に対して垂直な面に沿った断面において、リベット孔３５及びリベット３６の断面形状は実施の形態１で説明したいずれかと同じであればよい。各外周部１ａに設けられた２つのリベット孔３５及び２つのリベット３６の位置は、回転軸中心Ｐと永久磁石３の磁極中心とを通る直線Ｌに対して対称であることが好ましい。
【００３７】
本実施の形態２においても、回転子が回転して外周部１ａに遠心力が発生すると、実施の形態１と同様に、リベット３６の外周面とリベット孔３５の内周面とは回転軸に対して垂直な面に沿った断面において二点又は線で接触するので、リベット３６が外周部１ａから受ける力は分散される。更に、１つの外周部１ａに対してリベット孔３５及びリベット３６がそれぞれ２つの設けられているので、各リベット３６が外周部１ａから受ける力は実施の形態１の約半分となる。これらにより、リベット３６の変形量が更に小さくなり、外周部１ａの更に変位量も小さくなる。その結果、ブリッジ４に発生する応力は小さくなるので、ブリッジ４が破損して外周部１ａが飛散するのを防止することができる。
【００３８】
図７Ａ及び図７Ｂでは、１つの外周部１ａにリベット孔３５及びリベット３６がそれぞれ２つ設けられていたが、本発明はこれに限定されず、１つの外周部１ａにリベット孔３５及びリベット３６がそれぞれ３つ以上設けられていてもよい。この場合、各外周部１ａに設けられた３つ以上のリベット孔３５及び３つ以上のリベット３６の位置は、回転軸中心Ｐと永久磁石３の磁極中心とを通る直線Ｌに対して対称であることが好ましい。このような構成によれば、各リベット３６が外周部１ａから受ける力が更に小さくなる。従って、外周部１ａの変位量は更に小さくなる。その結果、ブリッジ４に発生する応力は更に小さくなるので、ブリッジ４が破損して外周部１ａが飛散するのを一層防止することができる。
【００３９】
（実施の形態３）
図８Ａは、本発明の実施の形態３に係る回転子の、回転軸に対して垂直な面に沿った断面図、図８Ｂは、図８Ａの部分８Ｂの拡大断面図である。
【００４０】
本実施の形態３では、実施の形態１の永久磁石収納孔２に回転軸中心Ｐと永久磁石３の磁極中心とを通る直線Ｌに沿った架橋部４７を設けることで、永久磁石収納孔２を２つの永久磁石収納孔４２ａ，４２ｂに分割している。更に、実施の形態１の永久磁石３を２つの永久磁石４３ａ，４３ｂに分割し、２つの永久磁石収納孔４２ａ，４２ｂにそれぞれ収納し保持させている。本実施の形態３の２つの永久磁石４３ａ，４３ｂは、全体として実施の形態１の永久磁石３と実質的に同様に作用する。これ以外の回転子の構成（例えば回転子鉄心１、ブリッジ４）は実施の形態１と同じである。
【００４１】
回転軸に対して垂直な面に沿った断面において、リベット孔４５及びリベット４６の断面形状は実施の形態１で説明したいずれかと同じであればよい。あるいは、実施の形態２で説明したように、１つの外周部１ａに対してリベット孔４５及びリベット４６をそれぞれ２つ以上設けてもよい。
【００４２】
外周部１ａと内周部１ｂとは、実施の形態１，２では一対のブリッジ４の２箇所で接続されていたのに対して、本実施の形態３では一対のブリッジ４に架橋部４７を加えた合計３箇所で接続されている。従って、回転子が回転して外周部１ａに遠心力が発生したとき、架橋部４７はリベット４６とともに外周部１ａが遠心力によって半径方向外向きに変位するのを抑制する。これにより、リベット４６が外周部１ａから受ける力や外周部１ａの変位量は実施の形態１，２よりも小さくなる。その結果、ブリッジ４に発生する応力は更に小さくなるので、ブリッジ４が破損して外周部１ａが飛散するのを一層防止することができる。
【００４３】
上述した実施の形態は例示に過ぎず、本発明は上述した実施の形態に限定されない。例えば、回転子鉄心１に設けられる永久磁石及び永久磁石収納孔の数は上記の実施の形態に限定されない。回転子鉄心１の外周面は、完全な円筒面である必要はなく、凹凸等が形成さた略円筒面であってもよい。その他、上記の構成の一部を他の構成に変更したり、上述していない構成を適宜組み合わせても良い。
【００４４】
本発明の電動機は、永久磁石が埋め込まれた回転子の周囲に固定子を配置した内転型の電動機である。回転子以外の構成は、特に限定はなく、例えば公知の内転型の電動機に本発明の回転子を組み合わせることができる。
【００４５】
本発明の電動機は種々の電気機器に適用することができる。適用可能な電気機器は、特に制限はなく、例えば、洗濯機、掃除機、エアコンの送風ファン用モータ、エアコンや冷蔵庫などの電動圧縮機など、電動機が用いられる任意の電気機器に適用することができる。
【産業上の利用可能性】
【００４６】
本発明の利用分野は、特に制限はなく、内転型の電動機及びこれを用いた電気機器に広範囲に利用することができる。
【図面の簡単な説明】
【００４７】
【図１】図１Ａは、本発明の実施の形態１に係る回転子の、回転軸に対して垂直な面に沿った断面図である。図１Ｂは、図１Ａの部分１Ｂの拡大断面図である。
【図２】図２は、図１のII−II線を含み且つ回転軸に平行な面に沿った本発明の実施の形態１に係る回転子の断面図である。
【図３】図３は、本発明の実施の形態１に係る回転子と従来の回転子とにおいて、ブリッジに発生する最大応力を構造解析により求めた結果を示した図である。
【図４】図４Ａは、本発明の実施の形態１に係る回転子と従来の回転子とにおいて、トルクを磁界解析により求めた結果を示した図である。図４Ｂは、本発明の実施の形態１に係る回転子と従来の回転子とにおいて、誘起電圧を磁界解析により求めた結果を示した図である。
【図５】図５Ａは、本発明の実施の形態１に係る別の回転子の、回転軸に対して垂直な面に沿った断面図である。図５Ｂは、図５Ａの部分５Ｂの拡大断面図である。
【図６】図６Ａは、本発明の実施の形態１に係る更に別の回転子の、回転軸に対して垂直な面に沿った断面図である。図６Ｂは、図６Ａの部分６Ｂの拡大断面図である。
【図７】図７Ａは、本発明の実施の形態２に係る回転子の、回転軸に対して垂直な面に沿った断面図である。図７Ｂは、図７Ａの部分７Ｂの拡大断面図である。
【図８】図８Ａは、本発明の実施の形態３に係る回転子の、回転軸に対して垂直な面に沿った断面図である。図８Ｂは、図８Ａの部分８Ｂの拡大断面図である。
【図９】図９は、従来の回転子の、回転軸に対して垂直な面に沿った断面図である。
【符号の説明】
【００４８】
１，１０１  回転子鉄心
１ａ，１０１ａ  外周部
１ｂ，１０１ｂ  内周部
２，４２ａ，４２ｂ，１０２  永久磁石収納孔
３，４３ａ，４３ｂ，１０３  永久磁石
４，１０４  ブリッジ
５，１５，２５，３５，４５，１０５  リベット孔
６，２６，３６，４６，１０６  リベット
８  端板
４７  架橋部
【図１】
2010213553.tif 000003
【図２】
2010213553.tif 000004
【図３】
2010213553.tif 000005
【図４】
2010213553.tif 000006
【図５】
2010213553.tif 000007
【図６】
2010213553.tif 000008
【図７】
2010213553.tif 000009
【図８】
2010213553.tif 000010
【図９】
2010213553.tif 000011